(57)【要約】      （修正有）【課題】ドレンパンの強度を損なわないようにしながら、低コスト、低メンテナンス作業でドレン水を除菌できる空気調和機の除菌装置を提供する。【解決手段】熱交換器から滴下した結露水は、ドレンパン５０の溝５５ａ，ｂ，ｃ，ｄにドレン水として一旦貯留された後、矢印Ａ，Ｂに示すように流下して表面に金属プレート５８が敷設された溝角部５６及び窪み部５７に貯留される。室内機が冷房運転中の場合、室内機が冷房運転を停止（サーモＯＦＦ）してから所定時間が経過していない場合、室内機の周囲が暗くなっている場合及び化粧パネル（蓋またはエアフィルタ）が取り外されていない場合に、ＬＥＤ２３を点灯してドレン水７０に向かって深紫外線を照射する。【選択図】図４
2017133700.tif 000002
【特許請求の範囲】
【請求項１】
熱交換器で生じた結露水をドレン水として貯留するドレンパンを備えた空気調和機の室内機において、
前記ドレンパンに貯留したドレン水を除菌する除菌装置を備え、
前記除菌装置は、前記ドレンパンに貯留したドレン水に向けて紫外線を照射する１つ以上の発光素子を有している
ことを特徴とする空気調和機の除菌装置。
【請求項２】
前記ドレンパンに貯留したドレン水を吸引するドレンポンプを備え、前記発光素子は、前記ドレンポンプと一体的に共通の取付手段で取り付けられている
ことを特徴とする請求項１記載の空気調和機の除菌装置。
【請求項３】
前記発光素子は、所定方向に移動可能に取り付けられている
ことを特徴とする請求項１または請求項２記載の空気調和機の除菌装置。
【請求項４】
前記ドレンパンの一部であって、少なくとも前記ドレン水を貯留する箇所の表面には、金属プレートを敷設した
ことを特徴とする請求項１から請求項３のいずれか１項に記載の空気調和機の除菌装置。
【請求項５】
前記発光素子は、前記室内機が冷房運転の場合、または／及び、前記室内機が冷房運転を停止してから所定時間が経過するまでの間、前記ドレンパンに貯留したドレン水に向けて紫外線を照射する
ことを特徴とする請求項１から請求項４のいずれか１項に記載の空気調和機の除菌装置。
【請求項６】
前記室内機の周囲の明るさを検知する照度検知手段を備え、
前記発光素子は、前記照度検知手段により前記室内機の周囲が暗くなっていることを検知した場合に、前記ドレンパンに貯留したドレン水に向けて紫外線を照射する
ことを特徴とする請求項１から請求項５のいずれか１項に記載の空気調和機の除菌装置。
【請求項７】
前記室内機は、取り外し可能な部品を有し、
前記取り外し可能な部品が取り外された場合に、該部品が取り外されたことを検知する取り外し検知手段を備え、
前記発光素子は、前記取り外し検知手段により前記部品が取り外されたことを検知した場合に、前記ドレンパンに貯留したドレン水に向けての紫外線の照射を停止する
ことを特徴とする請求項１から請求項６のいずれか１項に記載の空気調和機の除菌装置。
【請求項８】
前記発光素子からの紫外線を伝送する伝送手段を設け、
前記除菌装置は、前記伝送手段を介して、前記ドレンパンに貯留したドレン水に向けて紫外線を照射する
ことを特徴とする請求項１から請求項７のいずれか１項に記載の空気調和機の除菌装置。
【発明の詳細な説明】
【技術分野】
【０００１】
本発明は、空気調和機に関し、特に、ドレン水を除菌する機能を有する空気調和機の除菌装置に関する。
【背景技術】
【０００２】
空気調和機の室内機には、熱交換器で生じた結露水をドレン水として貯留するドレンパンが設けられている。このドレンパンのうち、ドレン水を貯留する部分は、一般的に、水漏れし難い樹脂等を所定の形に形成したもので構成されている。そして、ドレンパンに貯留されたドレン水は、ドレンポンプに引き込まれ、その後、ドレンポンプに接続された排水管を介して排水される。
【０００３】
このドレンパンに貯留されたドレン水には、空気中の雑菌やカビが入り込んで繁殖しやすい状態となっている。ドレン水に雑菌やカビが繁殖すると、粘性が大きくなったり、生成物が発生したりして、ドレンポンプや配管が詰まりやすくなる。
【０００４】
そこで、ドレンパンに抗菌剤を塗布したり、抗菌剤を混練したりして、ドレン水に雑菌やカビが繁殖してしまうことを抑制する技術が知られている（例えば、特許文献１）。その他に、ドレンパンと別体で抗菌作用を有する抗菌剤ユニットを、ドレンパンの所定の位置に配置して、ドレン水に雑菌やカビが繁殖してしまうことを抑制する技術等も開示されている。
【先行技術文献】
【特許文献】
【０００５】
【特許文献１】特開２００４−３１７０３２号公報
【発明の概要】
【発明が解決しようとする課題】
【０００６】
しかしながら、ドレンパンに抗菌剤を塗布する技術では、抗菌剤を塗布する工程に時間がかかるため、その分製造コストがかる。また、ドレンパンに抗菌剤を混練する技術では、強度が低下して破損の恐れがあるため、製造管理コストがかかる。
【０００７】
そして、これらの技術では、抗菌剤の効果がなくなってしまった場合には、再度ドレンパンに抗菌剤を塗布したり、ドレンパンごと交換したりしなければならないので、メンテナンスコストがかかるとともに、ドレンパン自体が大きいのでメンテナンスしにくいという問題点があった。
【０００８】
本発明は、上記したような問題点に鑑みなされたもので、その目的とするところは、ドレンパンの強度を損なわないようにしながら、低コスト、低メンテナンス作業でドレン水を除菌できる空気調和機の除菌装置を提供することにある。
【課題を解決するための手段】
【０００９】
本発明は、以下の適用例として実現することが可能である。なお、本欄における括弧内の参照符号や補足説明等は、本発明の理解を助けるために、後述する実施形態との主な対応関係を示したものであって、本発明を何ら限定するものではない。
【００１０】
［適用例１］
本発明の適用例１の空気調和機の除菌装置は、熱交換器（熱交換器４０）で生じた結露水をドレン水として貯留するドレンパン（ドレンパン５０）を備えた空気調和機の室内機（室内機１００）において、前記ドレンパンに貯留したドレン水を除菌する除菌装置（照射器２０）を備え、前記除菌装置は、前記ドレンパンに貯留したドレン水に向けて紫外線を照射する１つ以上の発光素子（ＬＥＤ２３）を有していることを要旨とする。
従って、このような構成の適用例１記載の発明では、ドレン水において、雑菌やカビが繁殖したり、粘性が大きくなったり、生成物が発生したりすることを抑制することができる。その結果、室内機が設置された部屋の空気を清潔に保つことが可能となる。
なお、発光素子が照射する紫外線は、より殺菌力の高い深紫外線としてもよい。
【００１１】
［適用例２］
本発明の適用例２の空気調和機の除菌装置は、適用例１記載の空気調和機の除菌装置において、前記ドレンパンに貯留したドレン水を吸引するドレンポンプ（ドレンポンプ３０）を備え、前記発光素子は、前記ドレンポンプと一体的に共通の取付手段（ネジ２２ａ，ｂ、ドレンポンプ取付部３３、Ｌ字金具３４）で取り付けられていることを要旨とする。
従って、このような構成の適用例２記載の発明では、室内機の構成を簡素にして部品点数を低減し、コストダウンをはかることができる。
【００１２】
［適用例３］
本発明の適用例３の空気調和機の除菌装置は、適用例１または適用例２記載の空気調和機の除菌装置において、前記発光素子は、所定方向に移動可能に取り付けられていることを要旨とする。
従って、このような構成の適用例３記載の発明では、発光素子から発せられる紫外線を狙いを定めて貯留したドレン水に照射することができ、その結果、ドレン水に対する除菌効果を極めて高くすることができるとともに、汎用性が高くなり、使い勝手が良くなる。
【００１３】
［適用例４］
本発明の適用例４の空気調和機の除菌装置は、適用例１から適用例３のいずれか１つに記載の空気調和機の除菌装置において、前記ドレンパンの一部であって、少なくとも前記ドレン水を貯留する箇所（溝角部５６及び窪み部５７）の表面には、金属プレート（金属プレート５８）を敷設したことを要旨とする。
従って、このような構成の適用例４記載の発明では、ドレンパンからドレン水が浸透して漏れることを抑止できるとともに、ドレンパンの軽量性を維持することができる。
【００１４】
［適用例５］
本発明の適用例５の空気調和機の除菌装置は、適用例１から適用例４のいずれか１つに記載の空気調和機の除菌装置において、前記発光素子は、前記室内機が冷房運転の場合（ステップＳ３１：ＹＥＳ）、または／及び、前記室内機が冷房運転を停止してから所定時間が経過するまでの間（ステップＳ３２：ＮＯ）、前記ドレンパンに貯留したドレン水に向けて紫外線を照射する（ステップＳ３７）ことを要旨とする。
従って、このような構成の適用例５記載の発明では、冷房運転の場合、または／及び、冷房運転を停止してから所定時間が経過するまでの間、発光素子を照射することにより、少ないエネルギーで効率良くドレン水を除菌することができる。
【００１５】
［適用例６］
本発明の適用例６の空気調和機の除菌装置は、適用例１から適用例５のいずれか１つに記載の空気調和機の除菌装置において、前記室内機の周囲の明るさを検知する照度検知手段（照度センサ８１）を備え、前記発光素子は、前記照度検知手段により前記室内機の周囲が暗くなっていることを検知した場合（ステップＳ３３：ＹＥＳ）に、前記ドレンパンに貯留したドレン水に向けて紫外線を照射する（ステップＳ３７）ことを要旨とする。
従って、このような構成の適用例６記載の発明では、室内機の周囲が暗くなっている場合は、室内機が設置されている部屋等に人がいないと想定されるので、発光素子の紫外線照射は人がいない場合にのみ行われ、その結果、安全を保ちながら少ないエネルギーで効率良くドレン水を除菌することができる。
【００１６】
［適用例７］
本発明の適用例７の空気調和機の除菌装置は、適用例１から適用例６のいずれか１つに記載の空気調和機の除菌装置において、前記室内機は、取り外し可能な部品（化粧パネル１０２、エアフィルタ１０７、蓋１０８）を有し、前記取り外し可能な部品が取り外された場合に、該部品が取り外されたことを検知する取り外し検知手段（リミットスイッチ８２）を備え、前記発光素子は、前記取り外し検知手段により前記部品が取り外されたことを検知した場合（ステップＳ３５：ＹＥＳ）に、前記ドレンパンに貯留したドレン水に向けての紫外線の照射を停止する（ステップＳ３９）ことを要旨とする。
従って、このような構成の適用例７記載の発明では、取り外し可能な部品が取り外されていない場合は、室内機の近くに人がいないと想定されるので、発光素子の紫外線照射は人が近づいたら停止されるので、その結果、極めて安全である。
【００１７】
［適用例８］
本発明の適用例８の空気調和機の除菌装置は、適用例１から適用例７のいずれか１つに記載の空気調和機の除菌装置において、前記発光素子からの紫外線を伝送する伝送手段（光ファイバー９５、９５ａ，ｂ，ｃ）を設け、前記除菌装置は、前記伝送手段を介して、前記ドレンパンに貯留したドレン水に向けて紫外線を照射することを要旨とする。
従って、このような構成の適用例８記載の発明では、一の光源（発光素子）にてドレンパンの複数箇所を、しかもピンポイントで照射することが可能となり、その結果、ドレン水に対する除菌効果を極めて高くすることができるとともに、極力、コストを抑えることができる。
【図面の簡単な説明】
【００１８】
【図１】本実施形態に係る空気調和機の室内機１００の全体斜視図である。
【図２】本実施形態に係る室内機１００から化粧パネル１０２を取り外したときの、室内機本体１０１の分解略図である。
【図３】照射器２０、ドレンポンプ３０、ドレンパン５０の取り付け状態を示す模式図である。
【図４】図４（ａ）は、本実施形態に係るドレンパン５０の平面図、図４（ｂ）は、図４（ａ）のＡ−Ａ断面の要部拡大図である。
【図５】本実施形態に係る室内機１００の電気的構成を示すブロック図である。
【図６】本実施形態に係る本体基板１５が行うメイン処理を示すフローチャートである。
【図７】本実施形態に係る本体基板１５が行うＬＥＤ制御処理を示すフローチャートである。
【図８】他の実施形態１に係わるドレンパン５０の平面図である。
【図９】他の実施形態２に係わる照射器２０及びドレンポンプ３０の取り付け状態を示す説明図である。
【発明を実施するための形態】
【００１９】
以下に本発明の実施形態を図面と共に説明する。
図１は、本発明の実施形態に係る空気調和機の室内機１００の全体斜視図である。本発明の室内機１００は、熱交換器４０（図２参照）で生成された結露水をドレン水として貯留するドレンパン５０（図２参照）が設けられており、該ドレンパン５０内に貯留されたドレン水を抗菌する機能を有しているものである。
なお、空気調和機の室内機１００は、化粧パネル１０２を有し、この化粧パネル１０２が露出する天井埋込形であるものとして説明するが、室内機１００全体が天井裏に設置される天井埋込形、室内機１００全体が露出する天吊り形及び壁掛け形等でもよく、特に、限定されるものではない。
【００２０】
図１に示すように、室内機１００は、略箱形の室内機本体１０１を有し、その下面に化粧パネル１０２が取り付けられて、外部筐体を構成している。化粧パネル１０２には、中央部周辺に略正方形の吸込口１０５が形成されている。この吸込口１０５には、蓋１０８が取り付けられており、この蓋１０８には、グリル１０６と、室内機１００内に取り込む空気の塵等を除去するための網目状のエアフィルタ１０７が設けられている。
【００２１】
また、化粧パネル１０２は、室内機本体１０１に対して着脱自在に設けられ、蓋１０８は、化粧パネル１０２に対して着脱自在に設けられ、エアフィルタ１０７は、蓋１０８に対して着脱自在に設けられている。なお、エアフィルタ１０７は、化粧パネル１０２に対して着脱自在に設けるように構成してもよい。
【００２２】
また、略四角形の吸込口１０５（蓋１０８）の周囲には、四辺に対応するように略長方形の吹出口１０４が形成されている。この吹出口１０４には、吹き出す空気の方向を調整するための風向ベーン１０３が設けられている。
なお、室内機１００は、略箱形であるものとして説明するが、特に、限定されるものではない。さらに、吸込口１０５が、略正方形で、吹出口１０４が、略長方形であるものとして説明しているが、特に、限定されるものではない。
【００２３】
図２は、室内機１００から化粧パネル１０２を取り外したときの、室内機本体１０１の分解略図である。室内機本体１０１は、外部筐体を構成するケーシング１０と、ケーシング１０の内部に設けられる照射器２０、ドレンポンプ３０、熱交換器４０、ドレンパン５０、送風機６０とを有している。
【００２４】
ケーシング１０は、樹脂の材料で下面が開口した内部が中空の箱状に形成され、その側面１０Ａの外側には、ドレンポンプ３０により吸い上げたドレン水を排水するためのドレン配管接続管１１が突設されている。ドレン配管接続管１１は、その一端がケーシング１０内でドレンポンプ３０と図示しないホースで接続され、他端が図示しないドレン配管に接続されるようになっている。
【００２５】
また、ケーシング１０の側面１０Ａの内側には、後述する照射器２０及びドレンポンプ３０が配設されている。なお、照射器２０とドレンポンプ３０は、一体的にケーシング１０の側面１０Ａ（詳しくは、側面１０Ａから内側に突出した図示しない取り付け用平板）に取り付けられるようになっている。
また、ケーシング１０の側面１０Ｂの内側には、後述する本体基板１５が付設されている。この本体基板１５は、照射器２０、ドレンポンプ３０、送風機６０などの機器の動作を制御する基板である。
【００２６】
熱交換器４０は、冷房運転時において、蒸発器として機能して空気を冷却し、暖房運転時において、凝縮器（放熱器）として機能して空気を加熱するものである。熱交換器４０は、図２に示すように、平面視すると略四角形であって、その上下が開放された内部が中空の箱状に形成されている。この熱交換器４０の中空部分には、送風機６０が配設されるようになっている。
送風機６０は、主に、送風ファン６１とファンモータ６２とから構成される。ファンモータ６２は、送風ファン６１を駆動する駆動手段である。ファンモータ６２が駆動すると、送風ファン６１により空気の流れ（図２の矢印Ａ参照）が生成される。
【００２７】
熱交換器４０には、図示しない室外ユニットから冷媒ガス配管４１または冷媒液配管４２（これらを総称して冷媒配管４３と呼ぶ）を介して冷媒（冷房時は冷媒液、暖房時は冷媒ガス）が供給される。そして、この熱交換器では、空気がその冷媒と熱交換を起こすことにより冷却または加熱され、調和空気が生成される。
すなわち、送風機６０から送り込まれる空気は、図２の矢印Ａに示すように熱交換器４０の冷媒配管４３を流れる冷媒と熱交換して、冷却または加熱されるようになっている。なお、熱交換器４０は、例えば伝熱管と多数のフィンとにより構成されるクロスフィン式のフィン・アンド・チューブ型またはコイル型熱交換器で構成するとよい。
【００２８】
ところで、熱交換器４０は、特に、冷房運転時において空気中の水分が表面に付着して結露水（ドレン）が生じ、その結露水が重力により滴下する。そのため、熱交換器４０の下方には、熱交換器４０で生成される結露水を確実に受け止めてドレン水として貯留することができるようにドレンパン５０が設けられている。
このドレンパン５０は、断熱性に富んだ発泡スチロールを所定の形状に形成したものの表面をＡＢＳ樹脂等の樹脂で覆い、一体形成して構成されている。具体的には、ドレンパン５０は、図２に示すように、略四角形の皿状に形成され、ケーシング１０と対向するように配設されている。そして、ドレンパン５０の底板５２の中央部分は、円形状の切欠部５１が形成されている。
【００２９】
なお、ドレンパン５０は、仮に、発泡スチロールだけで構成すると、軽量性、断熱性は確保できるが、貯留されたドレン水が浸透して漏れしてしまう恐れがある。そこで発泡スチロールをＡＢＳ樹脂等の樹脂で覆う（厚さは、例えば、０．５ｍｍ〜３ｍｍ）ことで、ドレン水が浸透して漏れてしまうことを防止している。このドレン水の漏れ防止は、ＡＢＳ樹脂等の樹脂に限らず、ドレン水の浸透を防ぐ材料であれば、特に、限定されるものではない。
しかして、ドレンパン５０に貯留されたドレン水は、熱交換器４０から滴下した結露水の分だけ増加し、この増加したドレン水は、適宜ドレンポンプ３０によって排水されるようになっている。
【００３０】
ここで、図３，４を用いて、照射器２０、ドレンポンプ３０、ドレンパン５０の構成について詳述する。図３は、照射器２０、ドレンポンプ３０、ドレンパン５０の取り付け状態を示す模式図、図４（ａ）は、ドレンパン５０の平面図、図４（ｂ）は、図４（ａ）のＡ−Ａ断面の要部拡大図であって、ＬＥＤ２３から発せられる光がドレン水７０を照射する状態を模式的に表した説明図である。
ドレンパン５０は、図４（ａ）に示すように、四角形の外側周辺箇所に設けられた周囲壁５３ａ，ｂ，ｃ，ｄと、円形の切欠部５１の周囲に設けられた周囲リブ５４とを有している。そして、周囲壁５３ａ，ｂ，ｃ，ｄと周囲リブ５４との間には、断面コ字状の溝５５ａ，ｂ，ｃ，ｄが形成されている。
【００３１】
熱交換器４０は、その下端部が溝５５ａ，ｂ，ｃ，ｄと対向するように設けられており、この構成により、熱交換器４０から滴下した結露水は、ドレンパン５０の溝５５ａ，ｂ，ｃ，ｄにドレン水として一旦貯留される。
また、溝５５ａと溝５５ｂとの略境界部分である溝角部５６には、ドレン水を貯めるための略円形状の窪み部５７が設けられている。この窪み部５７は、図３，４（ｂ）に示すように、平状の底部５７ａと、底部５７ａの縁に設けられた傾斜状の周部５７ｂとで略皿状に形成されている。
【００３２】
ここで、溝５５ａ，ｂ，ｃ，ｄの底部には、所定の勾配（例えば、４〜６度）が設けられた傾斜面となっており、熱交換器４０からの結露水のうち、溝５５ｂ，ｃに滴下した結露水は、図４（ａ）の矢印Ａに示すように流下して窪み部５７にドレン水として貯留される。一方、溝５５ａ，ｄに滴下した結露水は、図４（ａ）の矢印Ｂに示すように流下して窪み部５７にドレン水として貯留される。
【００３３】
つまり、図３，４（ｂ）に示すように、溝５５ａの底部には、溝角部５６（窪み部５７）に向かって所定の下り勾配が設けられており、溝５５ｄの底部には、溝５５ａに向かって所定の下り勾配が設けられている。また、同様に、溝５５ｂの底部には、溝角部５６（窪み部５７）に向かって所定の下り勾配が設けられており、溝５５ｃの底部には、溝５５ｂに向かって所定の下り勾配が設けられている。
この、溝５５ａ，ｂ，ｃ，ｄの底部に形成された勾配と、略皿状に形成された窪み部５７とにより、熱交換器４０から滴下した結露水は、溝５５ａ，ｂ，ｃ，ｄを流下して窪み部５７にドレン水として貯留される。
なお、図４（ｂ）における７０は、窪み部５７に貯留されたドレン水を示している。
【００３４】
また、溝角部５６及び窪み部５７の表面には、図３，４に示すように、所定形状の金属プレート５８が敷設されている。
上記したように、ドレンパン５０は、発泡スチロールをＡＢＳ樹脂等の樹脂で覆うことで形成されているが、本発明では、後述するように、照射器２０のＬＥＤ２３から貯留されたドレン水に向かって光を照射することにより、該ドレン水を除菌するようになっている。
【００３５】
すなわち、ドレンパン５０に貯留されたドレン水は、空気中の雑菌やカビが入り込んで繁殖しやすい状態となっており、ドレン水に雑菌やカビが繁殖すると、粘性が大きくなってスライム化したり、生成物が発生したりして、ドレンポンプ３０やドレン配管等が詰まりやすくなる。
そこで、本発明では、ドレンパン５０に貯留されたドレン水に向かってＬＥＤ２３の光を照射することにより、該ドレン水を除菌するようになっている。
【００３６】
ただし、ＬＥＤ２３からの光がドレンパン５０にも照射されると、ドレンパン５０表面の樹脂が硬化してしまい、その結果、ドレンパン５０からドレン水が浸透して漏れてしまう恐れが高くなる。金属プレート５８は、このようなドレンパン５０からのドレン水の浸透を抑止するために設けられるもので、図４（ｂ）に示すように、ＬＥＤ２３からの光がドレンパン５０に直接照射されてしまうことを抑止するように機能する。
そして、この金属プレート５８は、ドレンパン５０の一部、すなわち溝角部５６及び窪み部５７の表面のみに設けるようにしたので、ドレンパン５０の軽量性を維持することができる。
なお、具体的な金属プレート５８を敷設する手段としては、例えば、接着剤を用いて金属プレート５８を溝角部５６及び窪み部５７の表面に貼り付ける構成等が挙げられる。
【００３７】
ドレンポンプ３０は、吸水口３１がドレンパン５０の窪み部５７と近接して対向するように配設され、空気調和機の稼働中はモータ（図示省略）が常時オンされ、窪み部５７に貯留されたドレン水を吸水口３１から吸収して排水口３２から排出するようになっている。
排水口３２は、図示しないホースと接続され、この排水口３２と接続されたホースは、ケーシング１０に設けられたドレン配管接続管１１と接続されており、排水口３２から排出されたドレン水は、ドレン配管接続管１１を介して最終的にドレン配管に排出されるようになっている。
【００３８】
図３において、３３は、ドレンポンプ取付部であり、このドレンポンプ取付部３３は、略矩形箱状に形成されてドレンポンプ３０本体の上部に取り付けられている。
ドレンポンプ３０は、ドレンポンプ取付部３３により、ケーシング１０の側面１０Ａに取り付けられるようになっている。
【００３９】
また、ドレンポンプ取付部３３には、ドレンポンプ３０をケーシング１０の側面１０Ａに取り付けるためのドレンポンプ取付板としてのＬ字金具３４が設けられている。そして、このＬ字金具３４を介して、照射器２０が側面１０Ａに取り付けられている。具体的には、照射器２０の基板２１をＬ字金具３４の上板に重ね合わせ、ネジ２２ａ，ｂで基板２１とＬ字金具３４を共締めする。これにより照射器２０及びドレンポンプ３０は、一体的に共通の取付手段でケーシング１０に取り付けられる。
なお、仮に照射器２０を取り付けない場合には、ケーシング１０の側面１０Ａ（取り付け用平板）にネジ２２ａ，ｂでＬ字金具３４を直に螺着することで、ドレンポンプ３０のみを取り付ければよい。すなわち、照射器２０のケーシング１０への取り付けは、既設のＬ字金具３４とネジ２２ａ，ｂを利用したものであり、これにより構成を簡素にして部品点数を低減し、コストダウンをはかることができる。
【００４０】
照射器２０の基板２１は、略矩形板状に形成され、基板２１の略中央部には、ＬＥＤ基板２４が設けられている。ＬＥＤ基板２４には、単数または複数の発光素子からなるＬＥＤ２３が設けられており、図４（ｂ）に示すように、ＬＥＤ２３からの光がドレンパン５０の窪み部５７に貯留されたドレン水７０に照射されるようになっている。
【００４１】
ここで、このＬＥＤ２３が照射する光は、２５５ｎｍ〜３５０ｎｍの波長を有する深紫外線であり、すなわちＬＥＤ２３は、紫外線ＬＥＤ（ＵＶ−ＬＥＤ）として構成されている。このＬＥＤ（ＵＶ−ＬＥＤ）２３が本発明における発光素子の一例である。
また、ＬＥＤ２３が照射する光は、指向性が略９０度程度のものが用いられ、窪み部５７に貯留されたドレン水７０を中心に照射されるように構成されている。
【００４２】
次に、図５を用いて、室内機１００の電気的構成について説明する。図５は、室内機１００の電気的構成を示すブロック図である。
上記したように、室内機本体１０１のケーシング１０には、室内機１００の電気的機器を制御する本体基板１５が付設されている。室内機１００は、図示しない電源から交流１００〜２００Ｖを電源基板１７で受け、電源基板１７が備えるＡＣ／ＤＣアダプターによりＤＣ１２Ｖに変換して本体基板１５に電気を供給する。
【００４３】
本体基板１５は、周知のマイクロコンピュータなどで構成された制御回路を有し、その入力側には、水位センサ８０、照度センサ８１、リミットスイッチ８２、リモコンスイッチ８３、温度センサ８５が接続され、出力側には照射器２０、ドレンポンプ３０、送風機６０、サーモスタット８６、風向ベーン１０３が接続されている。
【００４４】
水位センサ８０は、ドレン水の水位を検知するものであって、ドレンパン５０の窪み部５７に貯留されたドレン水の水位が満杯（満水）になったことを検知した場合、当該ドレン水の水位が満杯になった旨を外部に報知（満水警報）するセンサである。
なお、これは、水位センサ８０に変えて、ドレン水の重量を検知する重量センサとしてもよい。
ここで、ドレン水の水位が満杯になるのは、空気調和機が冷房運転中（後述のサーモＯＮ状態）の場合であることが想定される。そして、冷房運転中にドレン水の水位が満杯になった場合には、冷房運転を停止（後述のサーモＯＦＦ状態）した後、ドレンポンプ３０のモータ（図示省略）を引き続き駆動してドレン水を排出させ、その後、ドレン水の水位が所定レベルまで低下したら、冷房運転を再開するようになっている。
【００４５】
照度センサ８１は、室内機１００の周囲の明るさを検知するものであって、化粧パネル１０２などに取り付けられ、周囲が暗くなったことを検知した場合、照射器２０（ＬＥＤ基板２４）のＬＥＤ２３を点灯させて、ドレンパン５０の窪み部５７に貯留されたドレン水に向かって光を照射させるセンサである。
【００４６】
リミットスイッチ８２は、マイクロスイッチなどで構成され、室内機本体１０１から化粧パネル１０２が取り外されたことを検知するものであって、室内機本体１０１から化粧パネル１０２が取り外されたことを検知した場合、照射器２０（ＬＥＤ基板２４）のＬＥＤ２３の照射を停止させるセンサである。
なお、リミットスイッチ８２は、化粧パネル１０２から蓋１０８が取り外されたことを検知する、または、蓋１０８からエアフィルタ１０７が取り外されたことを検知するようにしてもよい。
【００４７】
リモコンスイッチ８３は、ユーザーによって操作された各ボタンの押下信号を本体基板１５に入力するものであって、本体基板１５は、リモコンスイッチ８３から入力された押下信号に基づいて送風機６０（ファンモータ６２）や風向ベーン１０３を制御する。具体的には、電源のオン／オフ、冷房／暖房、風量、風向きの切り替えや、温度調節（設定）などである。
なお、リモコンスイッチ８３によって、照射器２０（ＬＥＤ基板２４）のＬＥＤ２３を強制的にオン／オフできるようにしてもよい。
【００４８】
温度センサ８５は、サーミスターなどで構成され、室内温度（室内機１００の周囲温度）がリモコンスイッチ８３で設定された温度に達したか否かを検知するものであって、設定した温度に達していない場合には、サーモスタット８６をオン状態（以下、サーモＯＮともいう）にして冷房、暖房運転を継続する。一方、設定した温度に達した場合には、サーモスタット８６をオフ状態（以下、サーモＯＦＦともいう）にして冷房、暖房運転を停止する（例えば、送風運転を行う）。
より具体的には、図示しない室外ユニットの圧縮機を、サーモＯＮ状態では運転し、サーモＯＦＦ状態では運転停止するようになっている。ここで、圧縮機は、室外ユニットから冷媒配管４３を介して熱交換器４０に冷媒を供給する装置である。従って、圧縮機の運転が停止すると、熱交換器４０への冷媒の供給が停止する。
【００４９】
次に、図６，７を用いて、室内機１００の本体基板１５が行う処理について説明する。図６は、本体基板１５が行うメイン処理を示すフローチャート、図７は、本体基板１５が行うＬＥＤ制御処理を示すフローチャートである。
メイン処理が行われると、本体基板１５は、ステップＳ１０で、リモコンスイッチ８３から入力された押下信号に基づいてリモコンスイッチ入力処理を行う。このリモコンスイッチ入力処理は、上記したように、電源のオン／オフ、冷房／暖房、風量、風向きの切り替えや温度調節（設定）などを行うために、送風機６０のファンモータ６２や、風向ベーン１０３の図示しないモータ等の駆動手段を制御する。
【００５０】
次に、ステップＳ２０に移行して、本体基板１５は、満水処理を行う。この満水処理では、ドレンパン５０の窪み部５７に貯留されたドレン水の水位が満杯になったことを水位センサ８０が検知した場合、本体基板１５は、当該ドレン水の水位が満杯になった旨を外部に報知（満水警報）するとともに、室内機１００の稼働を停止する。その後、ドレンポンプ３０を駆動してドレン水を排出させてから、室内機１００を稼働させる。
【００５１】
次に、ステップＳ２５に移行して、本体基板１５は、サーモＯＮ−ＯＦＦ処理を行う。このサーモＯＮ−ＯＦＦ処理では、本体基板１５は、温度センサ８５が、室内温度（室内機１００の周囲温度）が設定された温度に達していないことを検知した場合、サーモスタット８６をオン状態（サーモＯＮ）にし、室内温度（室内機１００の周囲温度）が設定された温度に達したことを検知した場合、サーモスタット８６をオフ状態（サーモＯＦＦ）にする。
この場合、サーモＯＦＦ状態で、例えば室内温度（室内機１００の周囲温度）と設定された温度の差が±１度になると、サーモＯＮ状態とするように構成してもよい。
【００５２】
次に、ステップＳ３０に移行して、本体基板１５は、図７に示すＬＥＤ制御処理を行う。このＬＥＤ制御処理が実行されると、本体基板１５は、まずステップＳ３１で室内機１００が冷房運転中（サーモＯＮ）か否かを判定する。
ステップＳ３１において冷房運転中（サーモＯＮ）でないと判定された場合には（ステップＳ３１：ＹＥＳ）、ステップＳ３２に移行して、本体基板１５は、冷房運転が停止してから、すなわちサーモＯＦＦ状態に移行してから所定時間（例えば５〜２０分）が経過したか否かを判定する。
【００５３】
ステップＳ３２においてサーモＯＦＦ状態に移行してから所定時間が経過したと判定された場合には（ステップＳ３２：ＹＥＳ）、つまり、暖房運転中（暖房運転後の停止中を含む）または冷房運転が停止してから所定時間が経過した場合には、ステップＳ３９に移行して、本体基板１５は、ＬＥＤ２３を消灯し、ドレンパン５０の窪み部５７に貯留されたドレン水７０へのＬＥＤ２３からの光の照射を停止する。
なお、ステップＳ３９では、既にＬＥＤ２３が消灯している場合は、何も処理されない。
【００５４】
一方、ステップＳ３１において冷房運転中（サーモＯＮ）である、または、ステップＳ３２においてサーモＯＦＦ状態に移行してから所定時間が経過していないと判定された場合には（ステップＳ３１：ＹＥＳまたはステップＳ３２：ＮＯ）、ステップＳ３３に移行して、本体基板１５は、照度センサ８１がオンしたか否かを判定する。
ステップＳ３３において照度センサ８１がオンしていないと判定された場合には（ステップＳ３３：ＮＯ）、つまり、室内機１００の周囲（例えば室内機１００が設置されている部屋）が暗くなっていないと判定された場合には、上記したステップＳ３９に移行して、本体基板１５は、ＬＥＤ２３を消灯する。
【００５５】
一方、ステップＳ３３において照度センサ８１がオンしていると判定された場合には（ステップＳ３３：ＹＥＳ）、つまり、室内機１００の周囲が暗くなっていると判定された場合には、ステップＳ３５に移行して、本体基板１５は、リミットスイッチ８２がオンしたか否かを判定する。
ステップＳ３５においてリミットスイッチ８２がオンしていると判定された場合には（ステップＳ３５：ＹＥＳ）、つまり、室内機本体１０１から化粧パネル１０２が取り外されたと判定された場合には、上記したステップＳ３９に移行して、本体基板１５は、ＬＥＤ２３を消灯する。
なお、ステップＳ３５の処理では、化粧パネル１０２に変えて蓋１０８またはエアフィルタ１０７が取り外されたか否かを判定するようにしてもよい。
【００５６】
一方、ステップＳ３５においてリミットスイッチ８２がオンしていないと判定された場合には（ステップＳ３５：ＮＯ）、つまり、室内機本体１０１から化粧パネル１０２（蓋１０８またはエアフィルタ１０７）が取り外されていないと判定された場合には、ステップＳ３７に移行して、本体基板１５は、ＬＥＤ２３を点灯し、ＬＥＤ２３からドレンパン５０の窪み部５７に貯留されたドレン水７０に向かって光を照射する。なお、ステップＳ３７では、既にＬＥＤ２３が点灯している場合は、何も処理されない。
そして、ステップＳ３７またはステップＳ３９の処理を終えると、本体基板１５は、このＬＥＤ制御処理を終了する。
【００５７】
以上の説明から明らかなように、ＬＥＤ制御処理においては、室内機１００が冷房運転中（サーモＯＮ）または室内機１００が冷房運転を停止（サーモＯＦＦ）してから所定時間が経過していない場合、照度センサ８１がオンした場合及びリミットスイッチ８２がオンしていない場合に、ＬＥＤ２３を点灯し、ＬＥＤ２３からドレンパン５０の窪み部５７に貯留されたドレン水７０に向かって光を照射するようになっている。
すなわち、本実施形態の室内機１００は、冷房運転中並びに冷房運転後所定時間内の場合、周囲が暗くなっている場合及び化粧パネル１０２（蓋１０８またはエアフィルタ１０７）が取り外されていない場合に、ドレン水に向かって深紫外線を照射する構成となっている。
なお、上記のＬＥＤ制御処理では、室内機１００が冷房運転中の場合及び冷房運転後所定時間内の場合、照度センサ８１がオンした場合且つリミットスイッチ８２がオンしていない場合というように、これら３つの条件が全て満たされた場合のみＬＥＤ２３を点灯するようにしたが、これは、少なくとも１つの条件が満たされていれば、ＬＥＤ２３を点灯してドレン水に向かって深紫外線を照射する構成としてもよい。
【００５８】
＜効果＞
以上、説明したように、本実施形態の空気調和機の室内機１００は、熱交換器４０で生じたドレン水にＬＥＤ２３からの深紫外線を照射することにより、ドレンパン５０に貯留したドレン水を除菌することが可能になっている。
これにより、ドレン水において、雑菌やカビが繁殖したり、粘性が大きくなったり、生成物が発生したりすることを抑制することができ、室内機１００が設置された部屋の空気を清潔に保つことができる。
従って、本発明は、飲食店（厨房）や食品製造工場、特にイースト菌や天然酵母の発酵によりドレン水がスライム化しやすいパン製造工場等に室内機１００を設置する場合に、好適となる。
【００５９】
また、ドレンパン５０には、ドレン水を貯留する箇所（溝５５ａ，ｂの一部、溝角部５６、窪み部５７）の表面に金属プレート５８を敷設したので、つまりＬＥＤ２３からの深紫外線が照射される箇所に金属プレート５８を敷設したので、ドレンパン５０を形成する樹脂が硬化してドレンパン５０からドレン水が浸透して漏れることを抑止できる。
加えて、金属プレート５８は、ドレンパン５０の一部のみに設けるようにしたので、ドレンパン５０の軽量性を維持することもできる。
【００６０】
さらに、ドレンパン５０には、ドレン水が流れる溝５５ａ，ｂ，ｃ，ｄに下り勾配を設けて、ドレン水が一カ所に溜まるように構成したので、ＬＥＤ２３からの照射は該ドレン水が溜まっている箇所に集中して行えばよい。
これにより、ＬＥＤ２３の照射範囲を限定して、部品点数を減らすことができるとともに、少ないエネルギーで効率良くドレン水を除菌することができる。
【００６１】
また、本実施形態の空気調和機の室内機１００は、冷房運転中の場合にＬＥＤ２３からの深紫外線をドレン水に向かって照射するようにしている。ドレン水は、室内機１００が冷房運転中の場合に最も多く発生するので、雑菌やカビが繁殖しやすい。
よって、冷房運転中の場合にのみＬＥＤ２３を照射することにより、少ないエネルギーで効率良くドレン水を除菌することができる。
【００６２】
さらに、室内機１００が冷房運転を停止（サーモＯＦＦ）してから所定時間が経過していない場合に、ＬＥＤ２３からの深紫外線をドレン水に向かって照射するようにしている。これは、室内機１００が冷房運転を停止（サーモＯＦＦ）した直後は、ドレン水の水位は高い（貯留量が多い）ことが想定され、従って、室内機１００が冷房運転を停止（サーモＯＦＦ）した後、直ちにＬＥＤ２３の照射を停止してしまうと、この残存しているドレン水に雑菌やカビが繁殖しやすくなるからである。
よって、冷房運転を停止（サーモＯＦＦ）後も、所定時間が経過するまでＬＥＤ２３を照射することにより、ドレン水の除菌効果をさらに高めることができ、好適である。
【００６３】
また、本実施形態の空気調和機の室内機１００は、周囲が暗くなっている場合にＬＥＤ２３からの深紫外線をドレン水に向かって照射するようにしている。室内機１００の周囲が暗くなっている場合は、室内機１００が設置されている部屋等に人がいないと想定される。
よって、ＬＥＤ２３の照射は人がいない場合にのみ行われるので、すなわち、人がいる場合にはＬＥＤ２３の照射は停止されるので、安全を保ちながら少ないエネルギーで効率良くドレン水を除菌することができる。
【００６４】
また、本実施形態の空気調和機の室内機１００は、化粧パネル１０２（蓋１０８またはエアフィルタ１０７）が取り外されていない場合に、ＬＥＤ２３からの深紫外線をドレン水に向かって照射するようにしている。化粧パネル１０２（蓋１０８またはエアフィルタ１０７）が取り外されていない場合は、室内機１００の近くに人がいないと想定される。
よって、ＬＥＤ２３の照射は人が近くにいない場合にのみ行われるので、すなわち、人が近づいたらＬＥＤ２３の照射は停止されるので、極めて安全である。
【００６５】
また、本実施形態の空気調和機の室内機１００は、ＬＥＤ２３が設けられた照射器２０が、既設のドレンポンプ３０の取り付け部品（Ｌ字金具３４、ネジ２２ａ，ｂ）を利用して該ドレンポンプ３０と一体的に取り付けられている。
これにより、室内機１００の構成を簡素にして部品点数を低減し、コストダウンをはかることができる。
【００６６】
＜他の実施形態１＞
次に、他の実施形態１について、図８を用いて説明する。図８は、他の実施形態１に係わるドレンパン５０の平面図であって、ＬＥＤ２３からドレン水に向けて発する光を、光ファイバー９５、９５ａ，ｂ，ｃを介して照射する状態を模式的に表した説明図である。
この他の実施形態１において、照射器２０は、上述した実施形態と同様にケーシング１０の側面１０Ａに取り付けられ、従ってＬＥＤ２３は、溝角部５６の上方に配置されている。
【００６７】
ここで、ＬＥＤ２３の周囲には、４本の光ファイバー９５、９５ａ，ｂ，ｃの一端が臨んでおり、光ファイバー９５の他端は、ドレン水が貯留される溝角部５６の窪み部５７の略真上に臨むように配設されている。
また、光ファイバー９５ａの他端は、溝５５ａと溝５５ｄとの略境界部分である溝角部９０ａに、光ファイバー９５ｂの他端は、溝５５ｂと溝５５ｃとの略境界部分である溝角部９０ｂに、光ファイバー９５ｃの他端は、溝５５ｃと溝５５ｄとの略境界部分である溝角部９０ｃに、それぞれ臨むように配設されている。
なお、これらの光ファイバー９５、９５ａ，ｂ，ｃは、図示は省略するが、ドレンパン５０の溝５５ａ，ｂ，ｃ，ｄに略対向するように、ケーシング１０に取り付けられるようになっている。
【００６８】
従って、このように構成される他の実施形態１に係わる室内機１００においては、一の光源（ＬＥＤ２３）にてドレンパン５０の複数箇所を、しかもピンポイントで照射することが可能となる。
ドレン水は、上述したように雑菌やカビが繁殖すると、粘性が大きくなってスライム化するので、ドレン水の通り道となるドレンパン５０の溝５５ａ，ｂ，ｃ，ｄに下り勾配を設けていても、完全に窪み部５７に集めることは困難で、どうしてもドレン水の通り道に残滓が発生する。
そこで、この他の実施形態１に係わる室内機１００では、光ファイバー９５、９５ａ，ｂ，ｃを用いてドレンパン５０の所望の箇所に、例えば狭い場所でもピンポイントで照射することができ、ドレン水が貯留される窪み部５７以外の場所でも、ドレン水を除菌することが可能となる。その結果、ドレン水に対する除菌効果を極めて高くすることができる。加えて、一の光源で実施することができるので、極力、コストを抑えることもできる。
【００６９】
なお、この他の実施形態１に係わる室内機１００では、光ファイバーを４本設けてＬＥＤ２３からの深紫外線を４カ所に照射するようにしたが、これは限定することなく、適宜、所望する箇所の数に応じて光ファイバーを設けて照射することが可能である。
また、上記の例では、窪み部５７以外の照射する場所を溝角部９０ａ，ｂ，ｃとしたが、これも限定するものではない。
さらに、ＬＥＤ２３の照射角度を調整して、該ＬＥＤ２３から発せられる深紫外線が直接窪み部５７に照射することも可能である。そして、この場合には、光ファイバー９５は省略することができ、コストダウンとなる。
【００７０】
＜他の実施形態２＞
次に、他の実施形態２について、図９を用いて説明する。図９は、他の実施形態２に係わる照射器２０及びドレンポンプ３０の取り付け状態を示す説明図である。
この他の実施形態２において、照射器２０は、上述した実施形態と同様に、基板２１をＬ字金具３４の上板に重ね合わせて、ドレンポンプ３０と一体的にケーシング１０に取り付けられるようになっているが、上述した実施形態と相違する点は、基板２１の水平方向の取り付け角度を変更できるように該基板２１を取り付けた点にある。
【００７１】
照射器２０には、ドレンパン５０の窪み部５７に貯留したドレン水に向けて深紫外線を照射するためのＬＥＤ２３が設けられているが、諸条件（例えば、照射器２０の大きさ、取り付け角度、取り付け位置、ＬＥＤ２３の指向性など）によって、照射器２０が固定されているとＬＥＤ２３から発せられる深紫外線がうまく貯留したドレン水に照射できない恐れがある。
そこで、この他の実施形態２においては、基板２１の水平方向の取り付け角度を変更できるようにして、上記した問題点を解消できるように構成したもので、図９（ａ）に示すものは、照射器２０とドレンポンプ３０を一体的にケーシング１０に取り付けるためのネジ２２ａ，ｂに対する基板２１のネジ穴９７ａ，ｂを、緩やかな円弧状の長穴（ネジ穴９７ａと９７ｂは対称形状）に穿設して構成したものである。
また、図９（ｂ）に示すものは、ネジ２２ａ，ｂに変えて、１本のネジ９８で照射器２０とドレンポンプ３０を取り付けるように構成したものである。
【００７２】
すなわち、照射器２０の基板２１のネジ穴９７ａ，ｂを円弧状の長穴に形成すると、ネジ２２ａ，ｂを若干緩めた状態で、または、１本のネジ９８で照射器２０の基板２１を取り付けるようにすると、ネジ９８を若干緩めた状態で、基板２１を矢印Ａ（時計回り）または矢印Ｂ（反時計回り）に示すように、水平方向に回動させながら調整することで、ＬＥＤ２３から発せられる深紫外線を最適な状態で貯留したドレン水に照射することができる。
その結果、ドレン水に対する除菌効果を極めて高くすることができる。また、諸条件（照射器２０の大きさ、取り付け角度、取り付け位置、ＬＥＤ２３の指向性など）に影響されることがないので、汎用性が高くなり、使い勝手が良くなる。
なお、上記の例では、照射器２０は、水平方向に回動させる例を示したが、これは限定することなく、上記の構成に準じて、所定方向に移動可能に設けるようにすればよい。
【００７３】
＜他の実施形態３＞
次に、他の実施形態３について説明する。なお、この他の実施形態３の説明では、図示は省略する。
上述した実施形態では、照射器２０は、ドレンポンプ３０と一体的にケーシング１０に取り付けるように構成したが、この他の実施形態３においては、照射器２０は、ドレンパン５０に取り付けるように構成したものである。
【００７４】
他の実施形態３において、ドレンパン５０には受電装置が設けられ、一方、室内機１００の本体側（例えばケーシング１０）には給電装置が設けられている。そして、受電装置は給電装置から電力が供給され、照射器２０は、受電装置から電力の供給を受けて駆動（ＬＥＤ２３が点灯）するように構成されている。
ここで、ドレンパン５０が室内機１００から取り外された場合には、給電装置から受電装置への電力の供給が自動的に遮断されるようになっている。すなわち、この他の実施形態３においては、ドレンパン５０が室内機１００から取り外された場合には、ＬＥＤ（ＵＶ−ＬＥＤ）２３への電力の供給が自動的に遮断されて該ＬＥＤ２３が消灯するようになっている。
その結果、ドレンパン５０が取り外された場合、つまり、室内機１００の近くに人がいる場合には、ＬＥＤ２３から深紫外線が照射されることを確実に防止するので、安全性が極めて高くなる。
【００７５】
なお、受電装置と給電装置の具体的な構成は種々考えられるが、例えば次のように構成してもよい。
すなわち、ドレンパン５０と室内機１００本体を電気的に接続する受電側のドレンパン側コネクタと給電側の本体側コネクタを設け、ドレンパン側コネクタにはＬＥＤ２３の正極に接続される第１受電側端子と、ＬＥＤ２３の負極に接続される第２受電側端子を設ける。一方、本体側コネクタには電源（電源基板１７）の正極に接続される第１給電側端子と、電源の負極に接続される第２給電側端子を設ける。
【００７６】
しかして、ドレンパン側コネクタと本体側コネクタを接続した場合には、第１受電側端子と第１給電側端子が接触するとともに第２受電側端子と第２給電側端子が接触することで、ＬＥＤ２３と電源を接続する回路が形成されて、ＬＥＤ２３に電力供給が行われ、該ＬＥＤ２３からの紫外線の照射が可能となる。
一方、ドレンパン５０を室内機１００から取り外すと、第１受電側端子と第１給電側端子が非接触になるとともに第２受電側端子と第２給電側端子が非接触になることで、給電装置から受電装置への電力を供給する回路が切断され、ＬＥＤ２３への電力供給が行われなくなる。その結果、ＬＥＤ２３から紫外線が照射されることは皆無となる。
【００７７】
なお、他の実施形態３では、上記したように受電装置の端子と給電装置の端子が接触することで受電装置側（ＬＥＤ２３）に電力が供給される構成を例示したが、これは、電磁誘導などの非接触電力伝送（いわゆる無線給電）の技術を用いて、ドレンパン５０が所定の位置に近接したときに、給電装置から受電装置（ＬＥＤ２３）へ電力が供給されるように構成されていてもよい。
【００７８】
以上、本発明の実施形態に係る空気調和機の除菌装置を図面に基づいて説明してきたが、具体的な構成は実施形態に示したものに限定されるものではなく、本発明の要旨を逸脱しない範囲における変更や追加などがあっても本発明に含まれる。
なお、本明細書において使用される用語は、特に言及しない限り、当該分野で通常用いられる意味で用いられることが理解されるべきである。従って、他に定義されない限り、本明細書中で使用される全ての専門用語及び技術用語は、本発明の属する分野の当業者によって一般的に理解されるのと同じ意味を有する。矛盾する場合、本明細書（定義も含めて）が優先する。
【符号の説明】
【００７９】
１０…ケーシング、  １１…ドレン配管接続管、
１０Ａ，Ｂ…側面、  １５…本体基板、
１７…電源基板、  ２０…照射器、
２１…基板、  ２２ａ，ｂ…ネジ、
２３…ＬＥＤ（ＵＶ−ＬＥＤ）、  ２４…ＬＥＤ基板、
３０…ドレンポンプ、  ３１…吸水口、
３２…排水口、  ３３…ドレンポンプ取付部、
３４…Ｌ字金具、  ４０…熱交換器、
４１…冷媒ガス配管、  ４２…冷媒液配管、
４３…冷媒配管、  ５０…ドレンパン５０、
５１…切欠部、  ５２…底板、
５３ａ，ｂ，ｃ，ｄ…周囲壁、  ５４…周囲リブ、
５５ａ，ｂ，ｃ，ｄ…溝、  ５６、９０ａ，ｂ，ｃ…溝角部、
５７…窪み部、  ５７ａ…底部、
５７ｂ…周部、  ５８…金属プレート、
６０…送風機、  ６１…送風ファン、
６２…ファンモータ、  ７０…ドレン水、
８０…水位センサ、  ８１…照度センサ、
８２…リミットスイッチ、  ８３…リモコンスイッチ、
８５…温度センサ、  ８６…サーモスタット（サーモ）、
９５、９５ａ，ｂ，ｃ…光ファイバー、  ９７ａ，ｂ…ネジ穴
９８…ネジ、  １００…室内機、
１０１…室内機本体、  １０２…化粧パネル、
１０３…風向ベーン、  １０４…吹出口、
１０５…吸込口、  １０６…グリル、
１０７…エアフィルタ、  １０８…蓋
【図１】
2017133700.tif 000003
【図２】
2017133700.tif 000004
【図３】
2017133700.tif 000005
【図４】
2017133700.tif 000006
【図５】
2017133700.tif 000007
【図６】
2017133700.tif 000008
【図７】
2017133700.tif 000009
【図８】
2017133700.tif 000010
【図９】
2017133700.tif 000011